(57)【要約】【課題】パチンコ台のパチンコ島への着脱が簡単できるようにするとともに、パチンコ台の傾きをセル盤面の傾きを基準として任意に設定できるようにする。【解決手段】パチンコ台の取り付け装置が、パチンコ台の装着枠の上桟において、この前縁と後縁を挟んで固定することで、パチンコ台の着脱を簡易に行うことができ、また、セル盤面の傾きを測定する測定器の表示値の表示間隔と、上記の取り付け装置に備えた傾き調整手段の調整単位を対応させることで、セル盤面の傾きを任意に設定することができる。【選択図】図８
2011024979.tif 000002
【特許請求の範囲】
【請求項１】
パチンコ島に固定する取り付け部とパチンコ台の装着枠の上桟後縁に係合する後退規制部を備えた傾き調整手段と、傾き調整手段に連結しパチンコ台の装着枠の上桟前縁に係合する前進規制部を備えた取り付け手段とで形成し、前進規制部と後退規制部とで装着枠の上桟を挟持し、この前進規制部の位置を取り付けの基準としてパチンコ台をパチンコ島に装着し、傾き調整手段の操作によって装着枠の上桟を前後方向に移動してパチンコ台の傾きを調整することを特徴とするパチンコ台の取り付け装置。
【請求項２】
傾き調整手段は、パチンコ島に固定する取り付け部を備えた基材と、基材に横架した螺子と、螺子に螺合し、且つ、回転を規制された移動部材とで形成し、取り付け手段は先端部にＬ型の前進規制部を設け、装着枠の上桟の下面側に臨ませた胴部に設けた支点部を傾き調整手段の移動部材に枢着し、後端部には先端を移動部材に当接する押圧螺子を備えた押圧部を設けた腕木よりなり、押圧螺子を回して後端部を押し下げ、他方、前進規制部を上昇してパチンコ台の装着枠の上桟前縁に係合させて装着枠の前進を規制し、この前進規制部の位置を取り付けの基準としたことを特徴とする請求項１に記載のパチンコ台の取り付け装置。
【請求項３】
傾き調整手段は、パチンコ島に固定する取り付け部を備えた基材と、基材に横架した螺子と、螺子に螺合し、且つ、回転を規制された移動部材とで形成され、取り付け手段は、先端部にＬ型の前進規制部を設け、装着枠の上桟の下面側に臨ませた胴部に支点部を形成し、後端部には先端をクサビ部材に当接する押圧螺子を備えた押圧部を設けた腕木と、移動部材に揺動自在に吊り下げたクサビ部材とで構成し、クサビ部材の吊り下げ箇所の下方に腕木の支点部を枢着し、押圧螺子を回してクサビ部材の下側偏芯箇所を押し上げてクサビ作用で固定するとともに腕木の後端部を押し下げ、他方、取り付け手段の前進規制部を上昇してパチンコ台の装着枠の上桟前縁に係合させて装着枠の前進を規制し、この前進規制部の位置を取り付けの基準としたことを特徴とする請求項１に記載のパチンコ台の取り付け装置。
【請求項４】
傾き調整手段の基材に一体としてパチンコ島の取り付け箇所の下側に設けた取り付け板と、基材とパチンコ島の取り付け箇所双方の上方に横架した連結部材とで取り付け部を形成し、この連結部材はパチンコ島の取り付け箇所に対抗して固定突起を形成し、さらに基材に設けた螺子穴に螺合する押えボルトを回動自在に備え、押えボルトを回転操作してパチンコ島の取り付け箇所を上下より押圧挟持し、かつ固定突起をパチンコ島の取り付け箇所に喰いこませることで、パチンコ島に傾き調整手段を取り付けることを特徴とする請求項１、請求項２、請求項３に記載のパチンコ台の取り付け装置。
【請求項５】
取り付け手段の腕木はバネ材で構成したことを特徴とする請求項１、請求項２、請求項３記載のパチンコ台の取り付け装置。
【請求項６】
傾き調整手段に設けた移動部材にクサビ部材を遥動自在に吊り下げるにあたり、クサビ部材に形成した長穴に移動部材に設けた支点ピンを挿入し、クサビ部材が上下方向に移動自在とし、取り付け手段の腕木も同様に上下方向に移動自在としたことを特徴とする請求項１、請求項３に記載のパチンコ台の取り付け装置。
【請求項７】
傾き調整手段の螺子のピッチを、パチンコ台の盤面の傾きを測定する測定器の表示値の表示間隔と対応させ、パチンコ台を所望の傾きに調整できるようにしたことを特徴とする請求項１、請求項２、請求項３に記載のパチンコ台の取り付け装置。
【発明の詳細な説明】
【技術分野】
【０００１】  この発明はパチンコ島（パチンコ台が並んで設置される構造物）にパチンコ台を取り付ける取り付け装置に関する。
【背景技術】
【０００２】  パチンコ台は新台の導入の度に入れ替えが行われるが、経費節約の観点より外部の業者を頼まずに、従業員で行うことがようになって来ている。この入れ替え作業は、先ず、パチンコ台の装着枠をパチンコ島の区画に取り付け、この装着枠に開扉自在にパチンコ台を取り付けて行われる。【０００３】然るに、装着枠をビスや釘で取り付ける作業は時間がかかり、さらに、パチンコ台は性能を最大に発揮する上で、上部が所定の距離だけ後方に傾いた状態で設置しなければならず、従業員がこのような作業をするには難しい問題があった。【０００４】これらの問題を鑑みてパチンコ台の取り付け装置を提案したものがある。（例えば、特許１９０５７２６）【０００５】上記のパチンコ台の取り付け装置は、パチンコ台の取り付け手段と、この取り付け手段を前後に動かす調整手段とで構成されている。【０００６】この取り付け手段は、パチンコ台の装着枠の上桟の後縁を取り付け位置の基準として、この下側より鋭利な先端で強く咥えて取り付けるトグルクランプ構造のものであり、調整手段は、パチンコ島の構造物に穿けた窓の目盛りに合わせて装着枠の傾きを調整するものである。
【発明の開示】
【発明が解決しようとする課題】
【０００７】  上記の従来の取り付け装置は、以下の問題があった。
（１）取り付け手段が操作に力を必要とするため、作業者が限定されることと、取り付け箇所に無理な力が加わるため次第に弛んでくる。【０００８】  （２）装着枠の厚みが変わったり凹みがあったりすると、咥え力の程度が変わるのでパチンコ台がガタ付く。【０００９】  （３）装着枠が金属製の場合は食い込みができないので使用できない。さらに、装着枠にキズが付くため中古台としての販売価値が減じる。【００１０】  （４）また、調整手段は窓の目盛りを基準として傾きを決定するものであるが、装着枠をパチンコ島に同じ目盛りに調整しても、島自体の歪みやパチンコ台の取り付け箇所の誤差等を原因として現実には傾き調整を行ったことにはならない。また、パチンコ台は前面の位置は島面に対して変わらないで取り付けるものであるが、上記の装置では取り付け位置の基準が装着枠の上桟の後縁となるので、メーカーによる装着枠の幅の違いでその都度に取り付け装置を移動させて基準位置を変える必要があった。【００１１】  （５）調整手段の取り付けは、パチンコ島の笠木（装着枠の上桟の取り付け箇所）に穴を穿けて調整ネジを貫通する取り付け構造のため、既に営業している店での設置は制約が多く困難である。
【課題を解決するための手段】
【００１２】  この本発明は上記目的を達成するために、パチンコ島に固定する取り付け部とパチンコ台の装着枠の上桟後縁に係合する後退規制部を備えた傾き調整手段と、傾き調整手段に連結しパチンコ台の装着枠の上桟前縁に係合する前進規制部を備えた取り付け手段とで形成し、前進規制部と後退規制部とで装着枠の上桟を挟持し、この前進規制部の位置を取り付けの基準としてパチンコ台をパチンコ島に装着し、傾き調整手段の操作によって装着枠の上桟を前後方向に移動してパチンコ台の傾きを調整するようにしたものである。【００１３】  また、傾き調整手段は、パチンコ島に固定する取り付け部を備えた基材と、基材に横架した螺子と、螺子に螺合し、且つ、回転を規制された移動部材とで形成し、取り付け手段は先端部にＬ型の前進規制部を設け、装着枠の上桟の下面側に臨ませた胴部に設けた支点部を傾き調整手段の移動部材に枢着し、後端部には先端を移動部材に当接する押圧螺子を備えた押圧部を設けた腕木よりなり、押圧螺子を回して後端部を押し下げ、他方、前進規制部を上昇してパチンコ台の装着枠の上桟前縁に係合させて装着枠の前進を規制し、この前進規制部の位置を取り付けの基準としたものである。【００１４】  また、傾き調整手段は、パチンコ島に固定する取り付け部を備えた基材と、基材に横架した螺子と、螺子に螺合し、且つ、回転を規制された移動部材とで形成され、取り付け手段は、先端部にＬ型の前進規制部を設け、装着枠の上桟の下面側に臨ませた胴部に支点部を形成し、後端部には先端をクサビ部材に当接する押圧螺子を備えた押圧部を設けた腕木と、移動部材に揺動自在に吊り下げたクサビ部材とで構成し、クサビ部材の吊り下げ箇所の下方に腕木の支点部を枢着し、押圧螺子を回してクサビ部材の下側偏芯箇所を押し上げてクサビ作用で固定するとともに腕木の後端部を押し下げ、他方、取り付け手段の前進規制部を上昇してパチンコ台の装着枠の上桟前縁に係合させて装着枠の前進を規制し、この前進規制部の位置を取り付けの基準としたものである。【００１５】  傾き調整手段の基材に一体としてパチンコ島の取り付け箇所の下側に設けた取り付け板と、基材とパチンコ島の取り付け箇所双方の上方に横架した連結部材とで取り付け部を形成し、この連結部材はパチンコ島の取り付け箇所に対抗して固定突起を形成し、さらに基材に設けた螺子穴に螺合する押えボルトを回動自在に備え、押えボルトを回転操作してパチンコ島の取り付け箇所を上下より押圧挟持し、かつ固定突起をパチンコ島の取り付け箇所に喰いこませることで、パチンコ島に傾き調整手段を取り付けるようにしたものである。【００１６】  また、取り付け手段の腕木はバネ材で構成したものである。【００１７】  また、傾き調整手段に設けた移動部材にクサビ部材を揺動自在に吊り下げるにあたり、クサビ部材に形成した長穴に移動部材に設けた支点ピンを挿入し、クサビ部材が上下方向に移動自在とし、取り付け手段の腕木も同様に上下方向に移動自在としたものである。【００１８】  また、傾き調整手段の螺子のピッチを、パチンコ台の盤面の傾きを測定する測定器の表示値の表示間隔と対応させ、パチンコ台を所望の傾きに調整できるようにしたものである。【００１９】  上記の��題解決手段による作用は次のとおりである。【００２０】  装着枠の上桟は傾き調整手段の後退規制部と、取り付け手段の前進規制部とで挟持されているので、この前進規制部の位置を取り付けの基準とする傾き調整手段の操作でパチンコ台の上部は前後に移動する。【００２１】  取り付け手段の腕木の後端部の押圧螺子を回すと、押圧螺子の先端は傾き調整手段の移動部材に移動が阻止されて腕木の後端部を押し下げ、腕木は胴部を支点として先端部のＬ型の前進規制部が上昇して装着枠の上桟の前縁に係合して、装着枠の上桟の前進を規制する。傾き調整手段の螺子を回すと移動部材および取り付け手段の腕木が同様に移動してパチンコ台の上部は同様に移動する。【００２２】  装着枠にパチンコ台を取り付けると、Ｌ型の前進規制部は装着枠の上桟の前縁とパチンコ台の背面とに挟まれる。【００２３】  取り付け手段の腕木は、傾き調整手段の移動部材に揺動自在に設けたクサビ部材を介して支点部を取り付けたので、後端部の押圧螺子を弛めた状態では、先端部の前進規制部材は下方に降下しており、装着枠の上桟のパチンコ島への取り付け導入時に邪魔にならない。【００２４】  取り付け手段にクサビ部材を備えた場合は、腕木の押圧螺子を回すとクサビ部材の下側偏芯箇所が押し上げられて押圧螺子は終端でクサビ作用で固定される。【００２５】  傾き調整手段とパチンコ島の取り付け箇所の上方に横架した連結部材は、押えボルトを回転操作すると、パチンコ島の取り付け箇所は、連結部材と基材の取り付け板とで押圧挟持され、かつ上面に固定突起が喰いこむ。【００２６】  取り付け手段の腕木はバネ材であるので、先端の前進規制部が上昇すると、装着枠の上桟の下面を弾機的に押し上げて固定する。【００２７】  傾き調整部材に接続したクサビ部材は、移動部材の備えた支点ピンに長穴を挿入して吊り下げられているので、取り付け手段の腕木は全体を長穴の距離分上下方向に移動できる。【００２８】  傾き調整手段の基材に設けた螺子は、螺子ピッチが、傾き測定器の表示値の表示間隔に、例えば表示値の間隔が５厘（１．５ｍｍ）単位の場合にピッチを１．５ｍｍとするように対応している。この螺子を基材部の外側より別に設けたハンドル等で回転させると、移動部材は回転を規制されているので、前後方向に動いて腕木の前進規制部と傾き調整手段の後退規制部で挟持された装着部材の上桟、即ちパチンコ台の上縁を鉛直線に対して前後方向に移動して、セル盤面の傾きが変わる。
【発明の効果】
【００２９】  上述したように本発明のパチンコ台の取り付け装置は、装着枠の上桟が傾き調整手段の後退規制部と、取り付け手段の前進規制部とで挟持されて取り付けられており、この前進規制部の位置が取り付けの基準となるので、装着枠の幅が変わっても傾きの基準位置が変わらない。またパチンコ台の開閉時に加わる前後方向の荷重に対してもガタつくことが無く、これは装着枠の厚みや材質が変わっても影響が無く、傾き調整手段の操作によるパチンコ台の上部の前後移動（セル盤面の傾きの調整）もスムーズに行える。【００３０】  取り付け手段の腕木の後端部の押圧螺子を回して、先端部のＬ型の前進規制部で装着枠の上桟の前進を規制するので、力を必要とせず、かつ操作のしやすい下側より螺子を回すことで行える。パチンコ台の傾きの調整は、傾き調整手段の螺子を別のハンドル等で回すことで簡易に行うことができる。【００３１】  上記のパチンコ台の取り付け状態において、Ｌ型の前進規制部は装着枠の上桟の前縁とパチンコ台の後面とに挟まれているので装着枠とパチンコ台の隙間がなく、例えばパチンコ台の施錠部にガタがあっても解消される。【００３２】  腕木のＬ型の先端部は、後端部の押圧螺子を弛めた状態で下方に降下しているので、装着枠の上桟を取り付けるときに邪魔にならなず、取り外しの時は逆に自重で降下するので作業が行いやすい。【００３３】  取り付け手段の操作において、腕木の押圧螺子を回すことでクサビ部材の下側偏芯箇所が押し上げられて押圧螺子の終端でクサビ作用で固定されるので、弛んで腕木の先端部が外れることはない。【００３４】  パチンコ島の取り付け箇所は、連結部材と基材の取り付け板とで押圧挟持されるので上下さらに前後方向のズレが防止され、かつ固定突起の取り付け箇所への喰いこみで、パチンコ台の開閉時に発生しやすい前後方向のガタつきは確実に防がれる。【００３５】  取り付け手段の腕木は装着枠の上桟の下面を弾機的に押し上げて固定するので、外部より衝撃が加わっても取り付け状態が変わらない。【００３６】  クサビ部材は長穴で吊り下げられているので、取り付け手段の腕木は全体を長穴の距離分上下方向に移動でき、装着枠の上桟の上面とパチンコ島の対応面の隙間の程度に応じて腕木を持ち上げて上記同様に固定することで、腕木の下側がパチンコ台の内部カバーと干渉することが防止される。【００３７】  セル盤面の傾きの測定結果に応じて、傾き調整手段の螺子を所定の単位回すことで、セル盤面の傾きを必要とする数値に設定することができる。例えば測定器の表示値の間隔が５厘（１．５ｍｍ）単位の場合に螺子のピッチを１．５ｍｍとした場合、螺子を１回転するとパチンコ台の傾きを５厘変化させることができる。【００３８】  この発明は上述のように、パチンコ台の入れ替えの作業に力や加減を必要としないので女性従業員でも簡易に作業することができる。また、パチンコ台の傾きを数値的に確認して設定、かつ統一できるので、店の経営の合理化が計られる。
【発明を実施するための最良の形態】
【００３９】  以下、本発明の実施の形態を図１〜図１８に基づいて説明する。【００４０】  図１で示したパチンコ島１は上下の横部材２、３と縦部材４とで区画５を連続して形成し、区画５内部の上下には、一対の上下の取り付け装置７、７ａが取り付けられており、この取り付け装置７、７ａでパチンコ台６の装着枠８を固定する。【００４１】  パチンコ台６は図２、図３で示したように、装着枠８のヒンジピン９、１０にパチンコ台６のヒンジ１１、１２の穴１３、１４を挿入して開閉自在とし、この反対側を施錠して使用に供される。【００４２】  下側の取り付け装置７ａはこの実施例に限定することなく、従来のビスや釘でも同様の作用が営まれる。【００４３】  図４から図１０は上の取り付け装置７を示し、傾き調整手段１５と取り付け手段３８とで構成している。【００４４】  傾き調整手段１５は、取り付け部１６、１６ａを備えた基材１７と、この基材１７に両端を枢支される螺子１８と、これに螺合した移動部材１９と、規制ボルト２０とで構成されている。【００４５】  基材１７は横部材２方向の前壁２１の下部と、逆Ｕ型の上部をそれぞれ取り付け部１６、１６ａとしている。取り付け部１６はビス穴２２を備えた取り付け板２３で形成し、取り付け部１６ａは対向したガイド溝２４とこの間に設けた螺子穴２５と、螺子穴２５に螺合する押しボルト２６と連結部材２７とで構成している。【００４６】  螺子１８は基材１７の後壁２８の支持穴２９を貫通して、先端を前壁２１の支持穴３０に回転自在に嵌合し、空転部３１を後壁２８の支持穴２９に臨ませ、Ｅリング３２で抜け防止され、突端は６角状の操作部３３としている。【００４７】  螺子１８には移動部材１９が螺子穴３５で螺合して、操作部３３を６角レンチ等のハンドル３６で回すと、移動部材３４は図４および図６で示した左右の規制板３７で回転を規制されて前後に移動する。【００４８】  傾き調整手段１５は取り付け部１６、１６ａで、パチンコ島１の横部材２に固定するが、基材１７の前壁２１を横部材２の後縁に、さらに取り付け板２３を下面に当接してビス穴２２と前壁２１のビス穴３８にビスで固定する。ついで図８および図９で示したように連結部材２７の穴３９を介して押しボルト２６を螺子穴２５に螺合させて連結部材２７の下側に形成した固定突起４０を横部材２に食い込ませながら、取り付け板２３とで横部材２を締め付けて固定する。【００４９】  移動部材１９には、螺子１８の下方に後退規制部４１を構成する規制ボルト２０が取り付けられている。規制ボルト２０は先端を径大として移動部材の螺子穴４３に螺合し、後端を螺子１８と同様の６角形状の操作部４４としている。【００５０】  規制ボルト２０は操作部４４を回転し、先端を装着枠８の後縁８ｂに当接して装着枠８の上桟８ａ箇所の後退を規制する。【００５１】  取り付け手段３８はバネ材質の腕木４５と、クサビ部材４６と、押圧螺子４７とで構成している。
腕木４５は先端にＬ型の部材を固着して前進規制部４８を形成し、胴部４９には対向して枢支穴５０を備えた支点部５１を形成し、後端の押圧部５２には同様に６角頭の押圧螺子４７が螺合する螺子穴５４を設けている。前進規制部４８は腕木４５とは別の板薄のバネ材質で、溶接して腕木４５に一体に設けることでパチンコ台６の施錠に障害がないようにし、さらに下側の臨む内部ケースとの干渉を防止している。【００５２】  腕木４５は支点部５１の枢支穴５０に螺子５５およびナット５６で、クサビ部材４６の枢支穴４６ａを介してクサビ部材４６に揺動自在に吊り下げられている。【００５３】  クサビ部材４６は、位置決め穴５８を設けた押圧底５９より上方に対向して立ち上げた形状をして、この立ち上げ部６０は移動部材１９の横穴６２に設けた支点ピン６３で長穴６４で支持され、揺動自在に吊り下げられている。立ち上げ部６０の前縁にはクサビ部材５７の後方向への揺動域を制限する振れ止め６５を曲折形成している。【００５４】  上記の腕木４５は開放した状態で、図５、図７に示すように前進規制部４８を下げた姿勢で待機し、装着枠８の導入後、即ち、上桟８ａの後端８ｂを規制ボルト２０に当てて後方の移動を規制した状態で、押圧螺子５３を回して前進規制部４８を上昇し、装着枠８の下面を押し上げ、先端のＬ型の規制版４８ａを装着枠８の前端８ｅに対向して望ませ、次いで規制ボルト２０を回して装着枠８を前方に押し付け移動して取り付けを完了する。【００５５】  押圧螺子４７の操作時に、クサビ部材４６は揺動支点より偏芯した箇所の押圧底５９を押し上げられのでクサビの作用で押圧螺子４７が弛まなくなる。このさい揺れ止め６５でクサビ部材４６の移動は制限されている。６７は押圧螺子４７の抜け防止ピンを示している。【００５６】  図７、図８、図１０で示したように、横部材２の下面と装着枠８の上面の隙間Ｃが大きい場合は、クサビ部材４６の長穴６４を利用して、腕木４５を押し上げてから上記の装着枠８の取り付け操作を行う。【００５７】  図１１から図１３は、下の取り付け装置７ａを示している。断面逆Ｕ型の基材６８は接地端の水平箇所６９にビスによる取り付け穴７０を形成し、内部にはナット取り付け具７１を介して螺子７２でナット７３が装着している。【００５８】  ナット７３には、先端を径大とした位置決めボルト７４が螺合し、この位置決めボルト７４は先端を装着枠８の下桟８ｃの後端８ｄの後退を規制し、位置決め後にナット７５で固定する。【００５９】  基材６８の前側は、装着枠８の導入空間７６を形成された取り付け部７７を一体で延長し、この取り付け部７７には装着枠８の上面を押圧して固定する押さえ螺子７８を螺合したナット７９が止着している。【００６０】  押さえ螺子７８は先端を径大とし、後端には６角の操作部８０が形成され、操作部８０を回転操作して、装着枠８の取り付けと取り外しを行う。【００６１】  パチンコ台６の取り付けは、装着枠８をパチンコ島１の区画５へ入れて上桟８ａ下桟８ｃの後端を上下の取り付け装置７、７ａに当接し、下桟８ｃの前面を島前面と面一にして押さえ螺子７８を回して固定し、ついで前述のように上桟８ａを取り付ける。この上桟８ａの取り付け時には前進規制部���８は、取り付けの基準位置、即ち、パチンコ台６を所定の傾きとする位置に設定されているので、規制ボルト２０を回して装着枠８を前進規制部４８に押し付けて固定することで傾きが決まる。【００６２】  装着枠８の取り付け後にパチンコ台６を取り付けるが、この発明ではパチンコ台６の傾きの基準を装着枠８とせずセル盤面６ａとしている。従ってパチンコ台６の取り付け後にガラス面を開いて図１４、図１５に示したように測定器８１で測定する。測定器８１は測定脚８２で釘８３を跨いで測定が行われ、この表示値８４によって傾き調整手段１５を操作してセル盤面６ａの傾きを調整する。【００６３】  測定器８１の表示値８４はパチンコ台６の接地点より上方へ仮定した鉛直線８５の１，０００ｍｍの位置での傾きＡで表している。図１６で、表示値Ａが１５の場合、パチンコ台６の傾きＢは１２．１２ｍｍで４分となるので測定器８１に図１６のような対応表欄８６を設けて表示値Ａによって傾きを確認する。【００６４】  この場合、表示値Ａの表示間隔８７に対応する、パチンコ台６の傾きＢの間隔は２．５厘となるので、例えば傾きの設定を４分としているのに測定結果の表示値Ａが１７（４分５厘）となった場合は螺子１８を移動部材１９が前進する向きに１回転して、ネジピッチの１．５ｍｍ（５厘）パチンコ台６の上縁部を前進させて傾きを調整する。【００６５】  傾きの調整は、パチンコ台６を開いて行い調整後に閉じればよいので、測定しながら調整するような煩雑さは無い。【００６６】  図１７は取り付け装置７の取り付け手段３８をトグルクランプ８８とした例を示している。この場合においても取り付け部１６、１６ａの作用と効果は同様に発揮される。【００６７】  図１８は取り付け装置７の移動部材１９の下端に後方に延長して規制部８９を形成してクサビ部材４６を省略した例を示している。この場合、押圧螺子４７の移動は規制部８９で制限され、前述と同様にして腕木４５による装着枠８の固定作用が営まれる。移動部材１９と螺子１８の螺合箇所は精度の上で多少のガタがあるので押圧螺子４７の操作時に規制部８９は多少押し上げられクサビ作用で弛み止めが計られる。
【図面の簡単な説明】
【００６８】
【図１】パチンコ台の取り付け状態を示すパチンコ島の正面図
【図２】［図１］のＡ−Ａ断面図
【図３】パチンコ台の取り付け状態を示す分解斜視図
【図４】取り付け装置の分解斜視図
【図５】取り付け装置の作用状態を示す側面図
【図６】取り付け装置の分解斜視図
【図７】取り付け装置の取り付け状態を示す側面図
【図８】取り付け装置の取り付け状態を示す側面図
【図９】取り付け装置の取り付け状態を示す断面図
【図１０】取り付け装置の作用状態を示す側面図
【図１１】装着枠の下桟の取り付け装置を示す斜視図
【図１２】［図１１］のＢ−Ｂ断面図
【図１３】下桟の取り付け装置の作用状態を示す側面図
【図１４】パチンコ台のセル盤面の測定状態図
【図１５】測定器の使用状態を示す説明図
【図１６】測定器の表示値を示す説明図
【図１７】取り付け装置の他の実施例を示す側面図
【図１８】取り付け装置の他の実施例を示す側面図
【符号の説明】
【００６９】  １・・・パチンコ島
７・・・取り付け装置
６・・・パチンコ台
８・・・装着枠
１５・・・傾き調整手段
１６、１６ａ・・・取り付け部
１７・・・基材
１８・・・螺子
１９・・・移動部材
２０・・・規制ボルト
２６・・・押しボルト
２５・・・螺子穴
２７・・・連結部材
３８・・・取り付け手段
４０・・・固定突起
４１・・・後退規制部
４５・・・腕木
４６・・・クサビ部材
４７・・・押圧螺子
４８・・・前進規制部
４９・・・胴部
５１・・・支点部
８１・・・測定器
８４・・・表示値
８７・・・表示間隔
【図１】
2011024979.tif 000003
【図２】
2011024979.tif 000004
【図３】
2011024979.tif 000005
【図４】
2011024979.tif 000006
【図５】
2011024979.tif 000007
【図６】
2011024979.tif 000008
【図７】
2011024979.tif 000009
【図８】
2011024979.tif 000010
【図９】
2011024979.tif 000011
【図１０】
2011024979.tif 000012
【図１１】
2011024979.tif 000013
【図１２】
2011024979.tif 000014
【図１３】
2011024979.tif 000015
【図１４】
2011024979.tif 000016
【図１５】
2011024979.tif 000017
【図１６】
2011024979.tif 000018
【図１７】
2011024979.tif 000019
【図１８】
2011024979.tif 000020